(57)【特許請求の範囲】
【請求項１】
ＶＴＲから送出される再生映像信号をＲ、Ｇ、Ｂの原色信号に分離するＲＧＢデコーダ（３２）と、前記ＲＧＢデコーダにより分離された原色信号をディジタルに変換するＡ／Ｄ変換器（３３）と、前記再生映像信号の時間軸誤差に応じて変動する書き込みクロック信号を発生する書き込みクロック発生器（４４）と、前記書き込みクロック信号に応じて前記Ａ／Ｄ変換器の出力ディジタル信号を格納する倍速変換メモリ（３４）と、前記書き込みクロック信号の実質的に２倍の周波数の水晶発振による固定読み出しクロック信号を発生する読み出しクロック発生器（４３）と、前記読み出しクロック信号に応じて前記ディジタルメモリから倍速変換により読み出されたディジタル信号を、前記読み出しクロック信号と、前記読み出しクロック信号を分周して得られる水平同期信号及び垂直同期信号とに基づいて表示する、ＮＴＳＣ−ＶＧＡ変換回路を含む液晶表示装置を備えた液晶パネル表示装置（３５）とを備えた、液晶パネル表示装置付きＶＴＲ。
【発明の詳細な説明】
【０００１】
【発明の属する技術分野】
本発明は、液晶パネル表示装置付きＶＴＲ（ビデオテープレコーダ）に関し、
特に、時間軸誤差を補償したＶＴＲと液晶パネル表示装置とを一体化した液晶パネル表示装置付きＶＴＲに関する。
【０００２】
【従来の技術】
ＶＴＲの再生ビデオ信号には、一般に時間軸誤差が存在し、これをなくす為に、従来から、同じ時間軸誤差を有する書き込みクロック信号で再生ビデオ信号をディジタルメモリに書き込み、時間軸誤差を有しない読み出しクロック信号で読み出すことにより、時間軸誤差を補償している。
【０００３】
図４は従来のＶＴＲやレーザディスク装置等にビデオ信号の時間軸誤差を補償する従来の時間軸誤差補正装置（以下、ＴＢＣ）を搭載した場合の一例の概略を示すブロック図である。図４において、端子１に入力されるビデオ信号はＡ／Ｄ変換器２に導かれ、書き込みクロック発生器５で発生される入力ビデオ信号に同期したクロック信号によりディジタル信号に変換されると同時にメモリ３に書き込まれた後、読み出しクロック発生器６により発生される基準の読み出しクロック信号に応じて読み出され、Ｄ／Ａ変換器４でアナログ信号に変換され出力端子７に導かれる。
【０００４】
読み出しクロック信号は水晶発振による固定クロック信号であり、水晶発振精度の範囲内で安定しているので、時間軸補正能力は一般に書き込みクロック信号の精度に依存する。
入力信号に同期した書き込みクロック信号、つまり時間誤差に応じて位相の変動する書き込みクロック信号は、例えば図５に示すようなＡＦＣ回路で生成する事ができる。
【０００５】
図５において、同期分離回路９は、端子８に入力されるビデオ信号から水平同期信号を分離して、ＡＦＣ回路１０に入力する。ＡＦＣ回路１０は、位相比較器１１、ループフィルタ１２、ＶＣＯ１３、分周器１４からなるＰＬＬ回路により構成されておりＶＣＯ１３は水平同期信号と同じ時間軸誤差を有するクロック信号を端子１５に出力する。このクロック信号に応じて入力ビデオ信号をメモリ３（図４）に書き込み、次いで時間軸誤差のない読み出しクロック発生器６からの読み出しクロック信号に応じて読み出すことにより、時間軸誤差のないビデオ信号を得る事ができる。
【０００６】
図６は従来のＶＴＲにビデオ信号の時間軸誤差を補償する従来のＴＢＣを搭載した場合の一例の詳細を示すブロック図である。従来の家庭用ＶＴＲでは色信号を低域変換処理しているので、再生処理をすべて行った後に、図に示すように、色信号と輝度信号とに対して別々に時間軸補正処理（ＴＢＣ処理）をする。再生色信号ＰＢ・Ｃは、端子１６より入力されデコーダ２０にて色差信号Ｒ−Ｙ，Ｂ−Ｙに復調される。多重化（ＭＰＸ）回路２１は、メモリ容量を半減させるために、一水平期間毎に色差信号Ｒ−ＹとＢ−Ｙを交互に切り換えて出力する。このように切り換え出力された色差信号はＡ／Ｄ変換器２２に入力された後、書き込みクロック発生器５から出力される時間軸誤差を含む書き込みクロック信号Ｗｃｋに応じてメモリ２３に書き込まれる。次いで、読み出しクロック発生器６から出力される時間軸誤差のない読み出しクロック信号に応じてメモリ２３から読み出された再生色信号はＤ／Ａ変換器２４又は２５によりアナログ信号に変換されて連続した色差信号Ｒ−Ｙ，Ｂ−Ｙに戻されてエンコーダ２６により時間軸誤差のない再生色信号となって端子１８に出力される。
【０００７】
一方、再生輝度信号ＰＢ・Ｙは端子１７に入力され、Ａ／Ｄ変換器２７に導かれるとともに、書き込みクロック発生器５にも入力される。次いで、Ａ／Ｄ変換器２７の出力は書き込みクロック発生器５から出力される時間軸誤差を含む書き込みクロック信号Ｗｃｋに応じてメモリ２８に書き込まれる。次いで、読み出しクロック発生器６から出力される時間軸誤差のない読み出しクロック信号に応じてメモリ２８から読み出された再生輝度信号はＤ／Ａ変換器２９によりアナログ信号に変換されて時間軸誤差のない再生輝度信号となって端子１９に出力される。
【０００８】
このようにして、ＴＢＣ処理された再生色信号及び再生輝度信号が得られる。
図６に示した従来のＴＢＣ処理では、ＶＧＡ仕様への変換を必要とする液晶パネル表示装置を使用することは想定してない。
図７はＮＴＳＣテレビ信号をＶＧＡ仕様に変換する回路を含んだ従来の液晶パネル表示装置のブロック図である。同図において、端子３１に入力されたテレビ信号はＲＧＢデコーダ３２にて三原色信号であるＲ，Ｇ，Ｂ信号に復調される。
他方、端子３１に入力されたテレビ信号から同期分離回路９により水平同期信号を分離し、ＡＦＣ回路４１に入力する。同期分離回路９はまた、液晶パネル（ＬＣＤ）表示装置３５を駆動するための垂直同期信号ＶＤをも分離し、ＬＣＤ表示装置３５に供給している。ＡＦＣ回路４１は、ループフィルタを含む位相比較器３７、１／２分周器３８、ＶＣＯ３９、及び１／９１０分周器４０を備えている。ＡＦＣ回路４１の動作は図５に示したＡＦＣ回路１０と同様なので、説明を省略する。
【０００９】
ＲＧＢデコーダ３２にてＲ，Ｇ，Ｂ信号に復調された信号は、各々、Ａ／Ｄ変換器３３（３個のＡ／Ｄ変換器を１個で図示してある）によりディジタル信号に変換されて倍速変換メモリ３４（３個のメモリを１個で図示してある）に書き込まれる。このときＡ／Ｄ変換器３３とメモリ３４を駆動するクロック信号はＶＣＯ３９の出力を１／２分周器３６で分周して得られる書き込みクロック信号であり、その周波数は４×ｆｓｃ（ｆｓｃは、色搬送波周波数でＮＴＳＣ方式のバッファ、３．５７９５４ＭＨｚ）である。メモリ３４から読み出す為のクロック信号は、倍速変換するために、ＶＣＯ３９の出力である８×ｆｓｃの周波数の読み出しクロック信号である。これにより、メモリ３４から同一内容のデータを二回、倍の速度で読み出すので、結果として倍速変換されたディジタルデータＷＲ、ＷＧ、ＷＢが得られることになり、ＬＣＤ表示装置３５に８×ｆｓｃのクロック信号とともに入力される。これらのディジタルデータＷＲ、ＷＧ、ＷＢを表示するために分周器４０からは、その周波数が入力の２倍である水平同期信号２ＨＤが取り出されてＬＣＤ表示装置３５に入力される。図７に示した従来のＬＣＤ表示装置では、生成され使用されるクロック信号は入力信号に同期したクロック信号であり、ＴＢＣ処理は施されていない。
【００１０】
【発明が解決しようとする課題】
上記のように、従来、ＶＴＲにＴＢＣを搭載する場合には、再生信号処理がすべて終わった後に、図６に示したような特別の時間軸誤差補正用の回路によりＴＢＣ処理をする必要があり、回路が複雑になり、コストがかかるという問題があった。このため、ＴＢＣは高価なＶＴＲ、例えばＳ−ＶＨＳ方式のような一部のＶＴＲにのみ採用されており、ＶＨＳ方式のような比較的安価なＶＴＲには搭載されていない。また、従来のＴＢＣのみを搭載しＶＧＡ仕様への変換処理を含まないＶＴＲにおいては、表示装置はＣＲＴを想定しており、ＬＣＤを使用するためのＮＴＳＣ−ＶＧＡ変換を行うＶＴＲは存在していない。
【００１１】
他方、ＮＴＳＣ−ＶＧＡ変換を行う従来のＬＣＤ表示装置では、ＶＴＲ再生信号のように時間軸誤差を持つビデオ信号については配慮されておらず、かような信号を表示すると画像が見づらいという問題があった。
本発明の目的は、上記問題に鑑み、ＮＴＳＣ−ＶＧＡ変換とともに時間軸誤差補正をも同時に行うことが可能で、簡単な回路構成のＬＣＤ一体型ＶＴＲを提供することにある。
【００１２】
【課題を解決するための手段】
上記目的を達成するために、本発明により、ＮＴＳＣ−ＶＧＡ変換回路を含むＬＣＤ表示装置に、ビデオ再生映像信号の時間軸誤差に応じて変動する書き込みクロック信号を発生する書き込みクロック発生器とは別に、その書き込みクロック信号の実質的に２倍の周波数の固定読み出しクロック信号を発生する読み出しクロック発生器を設けた、液晶パネル表示装置付きＶＴＲが提供される。
【００１３】
読み出しクロック発生器の周波数が固定で、入力ビデオ信号に同期しないいわゆる非同期クロック信号なので、ＶＴＲにおいてＶＧＡ変換とともにＴＢＣ機能が実現でき、ＬＣＤ一体型ＶＴＲを実現できる。
【００１４】
【発明の実施の形態】
図１は本発明の一実施例による液晶パネル表示装置付きＶＴＲの構成を示すブロック図である。同図において、図６及び図７に示された従来の構成と同一部分には同一番号を付してある。３１はＶＴＲから入力される再生ビデオ信号入力端子、３２はＲＧＢデコーダ、３３はＡ／Ｄ変換器、３４はメモリ、３５はＬＣＤ、３７は位相比較器、４０は１／９１０分周器、４２はＶＣＯ、４３は読み出しクロック発生器、４４はＡＦＣ回路である。
【００１５】
図７に示した従来の液晶パネル表示装置と異なる箇所は、図７ではＡＦＣ回路４１内のＶＣＯの出力信号の周波数が８ｆｓｃであるのに対し、図１ではＡＦＣ回路４４内のＶＣＯ３９の出力信号の周波数が４ｆｓｃであること、図７では読み出しクロック信号としてＶＣＯ３９の出力信号を用いているのに対し、図１では読み出しクロック発生器４３を設けて、そこから出力される読み出しクロック信号の周波数が水晶発振子から出力される固定の８ｆｓｃであること、及び図７ではＬＣＤ３５に供給される水平同期信号２ＨＤがＡＦＣ回路で生成され、垂直同期信号ＶＤが入力ビデオ信号から分離されたものであるのに対し、図１では水平同期信号２ＨＤ及び垂直同期信号ＶＤがともに、入力ビデオ信号とは独立に固定の読み出しクロック信号により生成されていることである。
【００１６】
次に図１の装置の動作を説明する。端子３１に入力されたＶＴＲ部（図示せず）からの時間軸誤差を持つ再生ビデオ信号はＲＧＢデコーダ３２にて三原色信号であるＲ，Ｇ，Ｂ信号に復調される。他方、端子３１に入力されたビデオ信号から同期分離回路９により水平同期信号を分離し、ＡＦＣ回路４４に入力する。ＡＦＣ回路４４は、ループフィルタを含む位相比較器３７、ＶＣＯ４２、及び１／９１０分周器４０からなるＰＬＬ回路により構成されており、ＶＣＯ４２は水平同期信号と同じ時間軸誤差を有するクロック４×ｆｓｃをＡ／Ｄ変換器３３とメモリ３４に出力する。このクロックにより、ＲＧＢデコーダ３２にてＲ，Ｇ，Ｂ信号に復調された信号は、各々、Ａ／Ｄ変換器３３（３個のＡ／Ｄ変換器を１個で図示してある）によりディジタル信号に変換されて倍速変換メモリ３４（３個のメモリを１個で図示してある）に書き込まれる。このときＡ／Ｄ変換器３３とメモリ３４を駆動するクロック信号はＶＣＯ４２の出力として得られる書き込みクロック信号であり、その周波数は４×ｆｓｃ（ｆｓｃは、色搬送波周波数でＮＴＳＣ方式の場合、３．５７９５４ＭＨｚ）である。
【００１７】
本発明の実施例により、メモリ３４から読み出す為のクロック信号は、実質的に書き込みクロック信号の周波数４ｆｓｃの２倍である８ｆｓｃの固定周波数の読み出しクロック信号であり、別途設けた読み出しクロック発生器４３から出力される。この固定クロック信号は水晶発振によるため、水晶発振精度の範囲内で安定しており、したがって時間軸誤差を含まない。このような時間軸誤差のない読み出しクロック信号でメモリ３４から同一内容のデータを二回、倍の速度で読み出すので、結果として倍速変換され、しかも時間軸誤差のないディジタルデータＷＲ、ＷＧ、ＷＢが得られることになる。この８×ｆｓｃの周波数のクロック信号に応じてこれらディジタルデータＷＲ、ＷＧ、ＷＢをＬＣＤ表示装置３５に表示するためにクロック発生器４３に内蔵の分周器（図示せず）によりその周波数が入力の２倍である水平同期信号２ＨＤと垂直同期信号ＶＤが取り出されてＬＣＤ表示装置３５に入力される。これらの信号と、蛍光管によるバックライト（図示しない）の点灯とにより、ＬＣＤ表示装置３５上に倍速変換され、時間軸補正されたビデオ再生映像を見る事ができる。
【００１８】
なお、図１においては、端子３１に入力されたビデオ再生信号はコンポシットとして説明したが、図６に示したように、色信号と輝度信号を分離して入力してもよい。
以上の如く、ＶＴＲから入力される時間軸誤差を持つ再生ビデオ信号は、倍速変換されると同時に時間軸誤差のないディジタルデータＷＲ、ＷＧ、ＷＢとなり、ＬＣＤ表示装置３５上で表示される。
【００１９】
本発明によれば再生ビデオ信号をＬＣＤ表示装置上に表示することができるので、図２及び図３に示されるように、ＶＴＲとＬＣＤ表示装置とを一体化することが可能になる。
図２は本発明の一実施例により、一体化されたＬＣＤ付きＶＴＲを示す斜視図である。図において、２０１は液晶パネル表示装置、２０２はＶＴＲ、２０３はＶＴＲカセット挿入口である。
【００２０】
図３は本発明の他の実施例による、一体化されたＬＣＤ付きＶＴＲを示す斜視図である。図において、３０１は液晶パネル表示装置、３０２はＶＴＲ、３０３はＶＴＲカッセトである。
これらの、図２及び図３に示したような液晶パネル表示装置付きＶＴＲは、従来のＣＲＴを用いたＶＴＲと比べて機動性が高く便利である。
【００２１】
【発明の効果】
以上の説明から明らかなように、本発明によれば、ＶＴＲにおいて時間軸誤差補正とＮＴＳＣ−ＶＧＡ変換とを共に行うことが、簡単な回路構成で実現出来るので、ＬＣＤをＶＴＲに一体化した液晶パネル表示装置付きＶＴＲが実現できる。
【図面の簡単な説明】
【図１】本発明の一実施例による液晶パネル表示装置付きＶＴＲの構成を示すブロック図である。
【図２】本発明の一実施例により、一体化されたＬＣＤ付きＶＴＲを示す斜視図である。
【図３】本発明の他の実施例による、一体化されたＬＣＤ付きＶＴＲを示す斜視図である。
【図４】ビデオ信号の時間軸誤差を補償する従来の時間軸誤差補正装置を搭載した場合の一例の概略を示すブロック図である。
【図５】図４における書き込みクロック発生器の構成を示すブロック図である。
【図６】従来のＶＴＲにビデオ信号の時間軸誤差を補償する従来の時間軸誤差補正装置を搭載した場合の一例の詳細を示すブロック図である。
【図７】ＮＴＳＣテレビ信号をＶＧＡ仕様に変換する回路を含んだ従来の液晶パネル表示装置のブロック図である。
【符号の説明】
３２…ＲＧＢデコーダ
３３…Ａ／Ｄ変換器
３４…倍速変換メモリ
３５…液晶パネル表示装置
４３…読み出しクロック発生器
【図１】
0003946795.tif 000002
【図２】
0003946795.tif 000003
【図３】
0003946795.tif 000004
【図４】
0003946795.tif 000005
【図５】
0003946795.tif 000006
【図６】
0003946795.tif 000007
【図７】
0003946795.tif 000008